(57)【要約】【課題】掛合フラップ蓋の中心部を外から内方へ手で押込んでも簡単に掛合フラップ蓋を開蓋させることができないように改良したダンボール箱を提供することにある。【解決手段】箱本体５の上下端にフラップ蓋Ａ，Ｂを設け、その少なくとも一方のフラップ蓋を、掛合フラップ片６，７と貼着フラップ片８，９との４枚フラップ片で構成し、掛合フラップ片６，７にフラップ片掛止め用の切欠部６ａ，７ａと傾斜折目線ｍ，ｎ及び貼着舌片部６ｃ，７ｃを設け、該貼着舌片部の内面を貼着フラップ片８，９の外面部に接着してなるダンボール箱において、掛合フラップ片６の切欠６ａと掛合フラップ片７の切欠７ａにレ字形の切欠部６Ａ，７Ａで形成し、該レ字形の切欠部に隣接してせり上がり抑止片１６，１７を設けて、このせり上がり抑止片１６，１７がフラップ蓋Ｂの掛合相手のフラップ片内面部に当接して掛合フラップ蓋Ｂの内側へのせり上がりを押さえ込むようにしたことを特徴とする。【選択図】      図１
0003107170.tif 000002
【実用新案登録請求の範囲】
【請求項１】
箱本体５を構成するための前面壁１，左側面壁２，後面壁３，右側面壁４の４つの面壁を折り曲げ可能に連設し、さらに前記４つの各面壁の上下には開閉可能なフラップ蓋Ａ，Ｂを折畳み可能に設け、
前記のフラップ蓋の一方のフラップ蓋Ｂは、箱本体５の前面壁１及び後面壁３に折目線ｅ，ｇを介して連設される２つの掛合フラップ片６，７と、箱本体５の左側面壁２及び右側面壁４に折目線ｆ，ｈを介して連設される２つの貼着フラップ片８，９との、合計４枚のフラップ片で構成し、
前記掛合フラップ片の一方の掛合フラップ７の側面壁側を、折目線ｇから先端中央部に向けて滑らかな円弧状に形成し、
前記掛合フラップ片６，７には、その折目線ｅ，ｇの端部とフラップ片一側縁６ｂ，７ｂとで構成される各コーナー部ｐから、それぞれの掛合フラップ片６，７の先端縁に向けて先端手前まで設けた傾斜折目線ｍ，ｎを、前記フラップ片の折目線ｅ，ｇに対してほぼ４５度の傾斜角度で設け、
この傾斜折目線ｍ，ｎと、フラップ片一側縁６ｂ，７ｂと、前記傾斜折線ｍ，ｎの先端から掛合フラップ片一側縁６，７の延長線方向に向けた線で囲まれる貼着舌片部６ｃ，７ｃの内面を、前記貼着フラップ片８，９の外面部に接着し、
さらに、前記掛合フラップ片６の先端縁中央部に設けた切欠部と、前記掛合フラップ片７の先端縁中央部に設けた切欠部を互いに掛合するフラップ片掛止めを設け、
これらでもって、左側面壁２及び右側面壁４が前面壁１及び後面壁４に対してほぼ直角となる位置関係にして箱組みしたダンボール箱において、
前記掛合フラップ片６，７のそれぞれの先端縁中央部に設けた切欠部を、掛合フラップ片６，７の先端縁ほぼ中央からほぼ直角に内側に切込んだ直状切り線ｒと、この直状切り線ｒの内側先端から掛合フラップ片６，７の外側先端縁に向けてほぼ４５度の角度を隔てて設けた傾斜切り線ｔで画定されるレ字形の切欠部６ａ（６Ａ），７ａ（７Ａ）で形成し、
さらに、前記掛合フラップ片６，７には、前記レ字形の切欠部６ａ（６Ａ），７ａ（７Ａ）と、掛合フラップ片６，７の端縁とで囲まれる部分でせり上がり抑止片１６，１７を形成し、
箱本体を組立てた場合に、掛合フラップ６，７に設けた切欠部６ａ（６Ａ），７ａ（７Ａ）を互いに掛け止めすることで、前記せり上がり抑止片１６，１７がそれぞれ相手側の掛合フラップ片の内面に掛合して、これら掛合フラップ片６，７のせり上がりを抑止して、開蓋を阻止することを特徴とするダンボール箱。
【請求項２】
箱本体５を構成するための前面壁１，左側面壁２，後面壁３，右側面壁４の４つの面壁を折り曲げ可能に連設し、さらに前記４つの各面壁の上下には開閉可能なフラップ蓋Ａ，Ｂを折畳み可能に設け、
前記フラップ蓋ＡおよびＢが、箱本体５の前面壁１及び後面壁３に折目線ｅ，ｇ，ｉ，ｋを介して連設される上下各２つの掛合フラップ片６１，６２，７１，７２と、ダンボール箱５の左側面壁２及び右側面壁４に折目線ｆ，ｈ，ｊ，ｌを介して連設される上下各２つずつの貼着フラップ片８１，８２，９１，９２との、上下各４枚のフラップ片で構成し、
前記掛合フラップ片の一方の掛合フラップ７１，７２の側面壁側を、折目線ｇ，ｋから先端中央部に向けて滑らかな円弧状に形成し、
前記掛合フラップ片６１，６２，７１，７２には、その折目線ｅ，ｇ，ｉ，ｋの端部とフラップ片一側縁６ｂ１，６ｂ２，７ｂ１，７ｂ２の端部とで構成される各コーナー部ｐ１，ｐ２から、それぞれの掛合フラップ片６１，６２，７１，７２の先端縁に向けて先端手前まで設けた傾斜折目線ｍ１，ｍ２，ｎ１，ｎ２を、前記フラップ片の折目線ｅ，ｇ，ｉ，ｋに対してほぼ４５度の傾斜角度で設け、
この傾斜折目線ｍ１，ｍ２，ｎ１，ｎ２と、フラップ片一側縁６ｂ１，６ｂ２，７ｂ１，７ｂ２と、前記傾斜折線ｍ１，ｍ２，ｎ１，ｎ２の先端から掛合フラップ片一側縁６１，６２，７１，７２の延長線方向に向けた線で囲まれる貼着舌片部６ｃ１，６ｃ２，７ｃ１，７ｃ２の内面を、前記貼着フラップ片８１，８２，９１，９２の外面部に接着し，
さらに、前記掛合フラップ片６１，６２の先端縁中央部に設けた切欠部と、前記掛合フラップ片７１，７２の先端縁中央部に設けた切欠部を互いに掛合するフラップ片掛止めを設け、
これらでもって、左側面壁２及び右側面壁４が前面壁１及び後面壁４に対してほぼ直角となる位置関係にして箱組みしたダンボール箱において、
前記掛合フラップ片６１，６２，７１，７２のそれぞれの先端縁中央部に設けた切欠部を、掛合フラップ片６１，６２，７１，７２の先端縁中央からほぼ直角に内側に切込んだ直状切り線ｒ１，ｒ２と、この直状切り線ｒ１，ｒ２の内側先端から掛合フラップ片６１，６２，７１，７２の外側先端縁に向けてほぼ４５度の角度を隔てて設けた傾斜切り線ｔ１，ｔ２で画定されるレ字形の切欠部６Ａ１，６Ａ２，７Ａ１，７Ａ２で形成し、
さらに、前記前記掛合フラップ片６１，６２には、前記レ字形の切欠部６Ａ１，６Ａ２，７Ａ１，７Ａ２と、掛合フラップ片６１，６２、７１，７２の端縁とで囲まれる部分でせり上がり抑止片１６１，１６２，１７１，１７２を形成し、
箱本体を組立てた場合に、掛合フラップ片６１，６２，７１，７２に設けた切欠部６Ａ１，６Ａ２，７Ａ１，７Ａ２を互いに掛け止めすることで、前記せり上がり抑止片１６１，１６２，１７１，１７２がそれぞれ相手側の掛合フラップ片の内面に掛合して、これら掛合フラップ６１，６２，７１，７２のせり上がりを抑止して開蓋を阻止するとともに、
さらに前面壁１，左側面壁２，後面壁３，右側面壁４の少なくとも一つの壁面の上部に、切り目線１２で画定され、かつ手で押し込んでダンボール箱内に切り落とすことができる横長形状のプッシュ開口蓋１３を設けたことを特徴とするダンボール箱。
【考案の詳細な説明】
【技術分野】
【０００１】
この考案はダンボール箱に関し、特に閉蓋したときに、その蓋が従来のように簡単に開かないようにした新規のダンボール箱に関するものである。
【背景技術】
【０００２】
従来から使用されるダンボール箱は、図８乃至図１０に示すようなものが一般的に知られている。
【０００３】
この従来公知のダンボール箱は、前面壁１と左側面壁２と後面壁３と右側面壁４とを折目線ａ，ｂ，ｃを介して連設し、前面壁１に折目線ｄを介して連設される糊付片１ａを右側面壁４の遊端側内面糊付部４ａに接着した構成の菱形扁平に折畳み可能な箱本体５を備え、この箱本体５に該箱本体の上下端開口部を閉塞するフラップ蓋Ａ，Ｂを設けている。
【０００４】
このフラップ蓋の下側のフラップ蓋Ｂは、例えば図８に示すように、箱本体５の前面壁１及び後面壁３に折目線ｅ，ｇを介して連設される掛合フラップ片６，７と、左側面壁２及び右側面壁４に折目線ｆ，ｈを介して連設される貼着フラップ片８，９との４枚フラップ片で構成されている。
【０００５】
また、他方の上側のフラップ蓋Ａは、下側のフラップ蓋Ｂと同じように、箱本体５の左側面壁２及び右側面壁４に折目線ｊ，ｌを介して連設される短寸方形状の内折フラップ片Ａ２，Ａ４と、箱本体５の前面壁１及び後面壁３に折目線ｉ，ｋを介して連設される長寸方形状の重合フラップ片Ａ１，Ａ３との４枚フラップ片で構成されている。
【０００６】
なお、この上側フラップ蓋Ａは内容物が満杯となった場合は、最後の蓋閉じ時作業として、内折フラップ片Ａ２，Ａ４を内方に折り曲げ、その外側に重合フラップ片Ａ１，Ａ３を折曲重合させて、この外側重合フラップ片Ａ１，Ａ３の接合部を粘着テープで貼着することにより閉蓋される。
【０００７】
そして、このダンボール箱には、前記の掛合フラップ片６と掛合フラップ片７に、その先端縁中央部に位置して互いに掛合可能なフラップ片掛止め用のＶ字型の切欠部６ａ，７ａが設けられている。さらに、前記の掛合フラップ片６，７に、その折目線ｅ，ｇとフラップ片一側縁６ｂ，７ｂとのコーナー部から、掛合フラップ片６，７の先端縁まで達する傾斜折目線ｍ，ｎがフラップ折目線ｅ，ｇに対してほぼ４５度の傾斜角度で設けられている。
【０００８】
そして、この傾斜折目線ｍ、ｎと、フラップ片一側縁６ｂ，７ｂ及びフラップ片先端縁で囲まれる貼着舌片部６ｃ，７ｃの内面を、貼着フラップ片８及び９の外面部に、左側面壁２及び右側面壁４が前面壁１及び後面壁３に対してほぼ直角に箱組できる図９のような位置関係をもって接着して構成されている。
【０００９】
図９は糊付片１ａを右側面壁４の遊端側内面糊付部４ａから剥離し、左側面壁２と後面壁３を直状に伸展させた状態の横断平面図を示している。この状態で箱本体５の半分、例えば後面壁３と右側面壁４の結合体を折目線ｂの位置から内方へ９０度の角度で折り曲げ、糊付片１ａを右側面壁４の遊端側内面糊付部４ａに接着させ、さらに掛合フラップ片６，７のＶ字型の切欠部６ａ，７ａで掛合するようにして、図１０の如く組立てられるものである。
【考案の開示】
【考案が解決しようとする課題】
【００１０】
しかし、前記従来のダンボール箱の掛合フラップ片６，７の切欠部６ａ，７ａは、図１０に示すように掛合フラップ片６，７の先端縁中央部でＶ字形に切込んだ９０度の開き角度を有する等開脚（左右対称）のＶ形切欠で形成され、これらのＶ形切欠部６ａ，７ａを単に掛合させて先端部を重ね合わせているだけであった。このために、フラップ蓋Ｂが閉じられている状態であっても、掛合フラップ蓋Ｂを外方から内方へ押込むと、互いのＶ形切欠部６ａ，７ａの掛合が外れ、容易に内側に開蓋してしまうものであった。
【００１１】
このため内容物を箱詰めした後で、この掛合フラップ蓋Ｂの中心部を何かの都合で外から内方へ軽く手で押込んだだけで掛合フラップ蓋Ｂが開蓋して、箱内の物が丸見えとなったり、落下するという問題があった。
【００１２】
この考案は、前記事情に着目してなされたもので、その目的とするところは、内容物を箱詰めた後、掛合フラップ蓋の中心部を外から内方へ手で軽く押込んでも、簡単には掛合フラップ蓋を開蓋しないようにした改良ダンボール箱を提供することにある。
【課題を解決するための手段】
【００１３】
この考案の請求項１は、箱本体５を構成するための前面壁１，左側面壁２，後面壁３，右側面壁４の４つの面壁を折り曲げ可能に連設し、さらに前記４つの各面壁の上下には開閉可能なフラップ蓋Ａ，Ｂを折畳み可能に設け、
前記のフラップ蓋の一方のフラップ蓋Ｂは、箱本体５の前面壁１及び後面壁３に折目線ｅ，ｇを介して連設される２つの掛合フラップ片６，７と、箱本体５の左側面壁２及び右側面壁４に折目線ｆ，ｈを介して連設される２つの貼着フラップ片８，９との、合計４枚のフラップ片で構成し、
前記掛合フラップ片の一方の掛合フラップ７の側面壁側を、折目線ｇから先端中央部に向けて滑らかな円弧状に形成し、
前記掛合フラップ片６，７には、その折目線ｅ，ｇの端部とフラップ片一側縁６ｂ，７ｂとで構成される各コーナー部ｐから、それぞれの掛合フラップ片６，７の先端縁に向けて先端手前まで設けた傾斜折目線ｍ，ｎを、前記フラップ片の折目線ｅ，ｇに対してほぼ４５度の傾斜角度で設け、
この傾斜折目線ｍ，ｎと、フラップ片一側縁６ｂ，７ｂと、前記傾斜折線ｍ，ｎの先端から掛合フラップ片一側縁６，７の延長線方向に向けた線で囲まれる貼着舌片部６ｃ，７ｃの内面を、前記貼着フラップ片８，９の外面部に接着し，
さらに、前記掛合フラップ片６の先端縁中央部に設けた切欠部と、前記掛合フラップ片７の先端縁中央部に設けた切欠部を互いに掛合するフラップ片掛止めを設け、
これらでもって、左側面壁２及び右側面壁４が前面壁１及び後面壁４に対してほぼ直角となる位置関係にして箱組みしたダンボール箱において、
前記掛合フラップ片６，７のそれぞれの先端縁中央部に設けた切欠部を、掛合フラップ片６，７の先端縁ほぼ中央からほぼ直角に内側に切込んだ直状切り線ｒと、この直状切り線ｒの内側先端から掛合フラップ片６，７の外側先端縁に向けてほぼ４５度の角度を隔てて設けた傾斜切り線ｔで画定されるレ字形の切欠部６ａ（６Ａ），７ａ（７Ａ）で形成し、
さらに、前記掛合フラップ片６，７には、前記レ字形の切欠部６ａ（６Ａ），７ａ（７Ａ）と、掛合フラップ片６，７の端縁とで囲まれる部分でせり上がり抑止片１６，１７を形成し、
箱本体を組立てた場合に、掛合フラップ６，７に設けた切欠部６ａ（６Ａ），７ａ（７Ａ）を互いに掛け止めすることで、前記せり上がり抑止片１６，１７がそれぞれ相手側の掛合フラップ片の内面に掛合して、これら掛合フラップ片６，７のせり上がりを抑止して、開蓋を阻止することを特徴とする。
【００１４】
また、請求項２は、箱本体５を構成するための前面壁１，左側面壁２，後面壁３，右側面壁４の４つの面壁を折り曲げ可能に連設し、さらに前記４つの各面壁の上下には開閉可能なフラップ蓋Ａ，Ｂを折畳み可能に設け、
前記フラップ蓋ＡおよびＢが、箱本体５の前面壁１及び後面壁３に折目線ｅ，ｇ，ｉ，ｋを介して連設される上下各２つの掛合フラップ片６１，６２，７１，７２と、ダンボール箱５の左側面壁２及び右側面壁４に折目線ｆ，ｈ，ｌ，ｋを介して連設される上下各２つずつの貼着フラップ片８１，８２，９１，９２との、上下各４枚のフラップ片で構成し、
前記掛合フラップ片の一方の掛合フラップ７１，７２の側面壁側を、折目線ｇ，ｋから先端中央部に向けて滑らかな円弧状に形成し、
前記掛合フラップ片６１，６２，７１，７２には、その折目線ｅ，ｇ，ｉ，ｋの端部とフラップ片一側縁６ｂ１，６ｂ２，７ｂ１，７ｂ２の端部とで構成される各コーナー部ｐ１，ｐ２から、それぞれの掛合フラップ片６１，６２，７１，７２の先端縁に向けて先端手前まで設けた傾斜折目線ｍ１，ｍ２，ｎ１，ｎ２を、前記フラップ片の折目線ｅ，ｇ，ｉ，ｋに対してほぼ４５度の傾斜角度で設け、
この傾斜折目線ｍ１，ｍ２，ｎ１，ｎ２と、フラップ片一側縁６ｂ１，６ｂ２，７ｂ１，７ｂ２と、前記傾斜折線ｍ１，ｍ２，ｎ１，ｎ２の先端から掛合フラップ片一側縁６１，６２，７１，７２の延長線方向に向けた線で囲まれる貼着舌片部６ｃ１，６ｃ２，７ｃ１，７ｃ２の内面を、前記貼着フラップ片８１，８２，９１，９２の外面部に接着し，
さらに、前記掛合フラップ片６１，６２の先端縁中央部に設けた切欠部と、前記掛合フラップ片７１，７２の先端縁中央部に設けた切欠部を互いに掛合するフラップ片掛止めを設け、
これらでもって、左側面壁２及び右側面壁４が前面壁１及び後面壁４に対してほぼ直角となる位置関係にして箱組みしたダンボール箱において、
前記掛合フラップ片６１，６２，７１，７２のそれぞれの先端縁中央部に設けた切欠部を、掛合フラップ片６１，６２，７１，７２の先端縁中央からほぼ直角に内側に切込んだ直状切り線ｒ１，ｒ２と、この直状切り線ｒ１，ｒ２の内側先端から掛合フラップ片６１，６２，７１，７２の外側先端縁に向けてほぼ４５度の角度を隔てて設けた傾斜切り線ｔ１，ｔ２で画定されるレ字形の切欠部６Ａ１，６Ａ２，７Ａ１，７Ａ２で形成し、
さらに、前記前記掛合フラップ片６１，６２には、前記レ字形の切欠部６Ａ１，６Ａ２，７Ａ１，７Ａ２と、掛合フラップ片６１，６２、７１，７２の端縁とで囲まれる部分でせり上がり抑止片１６１，１６２，１７１，１７２を形成し、
箱本体を組立てた場合に、掛合フラップ片６１，６２，７１，７２に設けた切欠部６Ａ１，６Ａ２，７Ａ１，７Ａ２を互いに掛け止めすることで、前記せり上がり抑止片１６１，１６２，１７１，１７２がそれぞれ相手側の掛合フラップ片の内面に掛合して、これら掛合フラップ６１，６２，７１，７２のせり上がりを抑止して開蓋を阻止するとともに、
さらに前面壁１，左側面壁２，後面壁３，右側面壁４の少なくとも一つの壁面の上部に、切り目線１２で画定され、かつ手で押し込んでダンボール箱内に切り落とすことができる横長形状のプッシュ開口蓋１３を設けたことを特徴とする。
【考案の効果】
【００１５】
この考案によると、ダンボール箱を組立てた場合に、掛合フラップ６，７が互いの切欠き６ａ（６Ａ），７ａ（７Ａ）を掛合させるだけでなく、各掛合フラップ片６，７に設けたせり上がり抑止片１６，１７が、相手側の掛合フラップ片６，７の内面にそれぞれ掛合する。
【００１６】
そのため、せり上がり抑止片１６，１７は掛合フラップ片６，７のせり上がりを抑止するストッパの役割をするので、掛合フラップ蓋Ｂの中心部を外から内方へ押込んでも、掛合フラップ蓋Ｂが開蓋するのを防止できる。
【考案を実施するための最良の形態】
【００１７】
以下、この考案の実施の形態を図1乃至図5の図面に基いてさらに詳しく説明する。  
図１は、この考案の第１の実施例によるダンボール箱の展開平面図、図２は、同ダンボール箱を箱本体の糊付片を右側面壁の糊付部から剥離し、左側面壁と後面壁を直状に伸展させた状態で示した横断平面図、図３は、同ダンボール箱の組立状態の横断平面図であって、分図（ａ）は前面壁及び左側面壁側の掛合フラップ片及び貼着フラップ片を実線で示し、後面壁及び右側面壁側の掛合フラップ片及び貼着フラップ片を想像線で示した横断平面図、分図（ｂ）は掛合フラップ片の掛合状態を箱本体の内面側から見た横断平面図である。
【００１８】
また図４は、図３（ｂ）の状態を下側から見た箱組立状態の底面図、図５は、前記ダンボール箱を菱形扁平の折畳み状態で示した一部切欠正面図である。
【００１９】
この実施例のダンボール箱は、図１に示すように、前面壁１と左側面壁２と後面壁３と右側面壁４とを縦方向の折目線ａ，ｂ，ｃを介して連設し、前面壁１に折目線ｄを介して連設される糊付片１ａを右側面壁４の遊端側内面糊付部４ａに接着した構成の菱形扁平に折畳み可能な箱本体５を備え、この箱本体５に該箱本体の上下端開口部を閉塞するフラップ蓋Ａ，Ｂを設けている。
【００２０】
この上下フラップ蓋Ａ，Ｂの一方のフラップ蓋、例えば図１において下側のフラップ蓋Ｂは、箱本体５の前面壁１及び後面壁３に折目線ｅ，ｇを介して連設される掛合フラップ片６，７と、左側面壁２及び右側面壁４に折目線ｆ，ｈを介して連設される貼着フラップ片８，９との４枚のフラップ片で構成されている。一方の掛合フラップ７の側面壁側７は、折目線ｇの左端から先端中央部に向けて滑らかな円弧状に形成されている。
【００２１】
また、他方のフラップ蓋、例えば図１において上側のフラップ蓋Ａは、箱本体５の左側面壁２及び右側面壁４に折目線ｊ，ｌを介して連設される短寸方形状の内折フラップ片Ａ２，Ａ４と、箱本体５の前面壁１及び後面壁３に折目線ｉ，ｋを介して連設される長寸方形状の重合フラップ片Ａ１，Ａ３との４枚のフラップ片で構成されている。
【００２２】
なお、この上側フラップ蓋Ａは内容物が満杯となった際の蓋閉じ時に、内折フラップ片Ａ２，Ａ４を内方に折り曲げ、その外側に重合フラップ片Ａ１，Ａ３を折曲重合させて、この外側重合フラップ片Ａ１，Ａ３の接合部を粘着テープ（図示せず）で貼着することにより最終的に閉蓋されるものである。
【００２３】
前記掛合フラップ片６と掛合フラップ片７には、その先端縁中央部に位置して互いに掛合可能なフラップ片掛止め用の切欠部６ａ（６Ａ），７ａ（７Ａ）が設けられている。この切欠き部は、この掛合フラップ片６，７の先端縁からほぼ直角に内側に切り込んだ状態の直状切り線ｒと、この直状切り線ｒの内側先端から、掛合フラップ片６，７の外側先端縁に向けて約４５度の角度を開けて設けた傾斜切り線ｔで画定されるレ字形の切欠部６Ａ、７Ａで、その外形はほぼ直角三角形である。
【００２４】
掛合フラップ片６，７には、折目線ｅ，ｇの一端とフラップ片６，７の一側縁６ｂ，７ｂの基端とがなす各コーナー部Ｐと、掛合フラップ片６，７の先端手前まであるレ形状切欠部６Ａ，７Ａの頂部との間に傾斜折目線ｍ，ｎが前記フラップ片の折目線ｅ，ｇに対してほぼ４５度の傾斜角度で設けられている。
【００２５】
この傾斜折目線ｍ、ｎとフラップ片一側縁６ｂ，７ｂとで挟まれた領域、つまり傾斜折目線ｍ，ｎと、フラップ片一側縁６ｂ，７ｂと、傾斜折目線ｍ，ｎの先端から掛合フラップ片一側縁６，７の延長線方向に向けた線で囲まれた部分は貼着舌片部６ｃ，７ｃとなっている。この貼着舌片部６ｃ，７ｃの内面には左右両側の面壁と連なっている貼着フラップ８，９の外面部が接着される。
【００２６】
また、掛合フラップ６，７に設けたレ字状の切欠６ａ（６Ａ），７ａ（７Ａ）を互いに対向する掛合フラップ８，９の先端部に掛合して、左側面壁２及び右側面壁４が、前面壁１及び後面壁３に対してほぼ直角に箱組できる図９のような位置関係をもって接着してダンボール箱を構成するようにするものである。  
以上の本考案になるダンボール箱の外形は、前述した従来のダンボール箱と実質的に同様である。
【００２７】
而して本考案における特徴は、前記掛合フラップ片６の切欠部６ａと前記掛合フラップ片７の切欠部７ａを、掛合フラップ片６，７の先端縁からほぼ直角に切込んだ直状切り線ｒ（ほぼ４ｃｍ位の切込み深さを有する）と掛合フラップ片６，７の先端縁から直状切り線ｒの内端に達するようにほぼ４５度の傾斜角度で切込んだ傾斜切り線ｔとで画定されるレ形状切欠部６Ａ，７Ａで形成する。
【００２８】
掛合フラップ片６，７のレ形状切欠部６Ａ，７Ａはフラップ蓋Ｂを閉じると互いに掛合する。さらに、掛合フラップ片６，７には、レ形状切欠部６Ａ，７Ａの直状切り線ｒ側の角部がせり上がり抑止片１６，１７が形成されている。
【００２９】
つまり、掛合フラップ片６，７の前記傾斜折目線ｍ，ｎの延長線ｍ´，ｎ´と、前記直状切り線ｒと、掛合フラップ片６，７の端縁とで囲まれる部分がせり上がり抑止片１６，１７に形成されている。
【００３０】
なお、掛合フラップ片６，７の幅寸法が大きくなった場合、せり上がり抑止片１６，１７を画定する一辺は傾斜折目線ｍ，ｎの延長線ｍ´，ｎ´からずれてくる。したがって、その場合、せり上がり抑止片１６，１７は直状切り線ｒと、掛合フラップ片６，７の端縁とで囲まれる部分となる。
【００３１】
以上のように、掛合フラップ片６，７にレ形状切欠部６Ａ，７Ａを形成し、レ形状切欠部６Ａ，７Ａの直状切り線ｒ側の角部をせり上がり抑止片１６，１７としたものである。そのため、掛合フラップ片６，７の互いのレ形状切欠部６Ａ，７Ａを掛合させたとき、せり上がり抑止片１６，１７はそれぞれの掛合相手の掛合フラップ６，７の内面に掛合することになる。
【００３２】
これによって、せり上がり抑止片１６，１７は、フラップ蓋Ｂを内方へ押込んだときに、それぞれ相手側の掛合フラップ片６，７に掛合してフラップ蓋Ｂの開蓋を阻止する閉蓋ストッパとして作用するように構成されている。
【００３３】
また、一方のフラップ片７の側面壁側７を、折目線ｇから先端中央部に向けて滑らかな円弧状に形成している点においても特徴を有するものである。これによってフラップ片の組立てを迅速に行うことができるものである。
【００３４】
図２は、糊付片１ａを右側面壁４の遊端側内面糊付部４ａから剥離し、左側面壁２と後面壁３を直状に伸展させた状態の横断平面図を示したものである。この状態で箱本体５の半分、例えば後面壁３と右側面壁４の結合体を折目線ｂの位置から内方へ９０度の角度で折り曲げ、糊付片１ａを右側面壁４の遊端側内面糊付部４ａに接着させれば、掛合フラップ片６，７が切欠部６Ａ，７Ａで噛合うように図３、図４の如く掛合して下フラップ蓋Ｂが形成される。
【００３５】
図５は、前記のように構成されたダンボール箱を菱形扁平の箱折畳み状態で示した一部切欠正面図であり、この箱折畳み状態では掛合フラップ片６が傾斜折目線ｍの位置からＶ形状に折畳まれ、掛合フラップ片７が傾斜折目線ｎの位置からＶ形状に折畳まれ、さらに各フラップ片６，７，８，９が折れ目線ｅ，ｇ，ｆ，ｈの位置でＶ形状に折畳まれて箱本体５内に折畳み収納される。そして、この箱折畳み状態で箱使用者に供給され、箱使用者は菱形扁平折畳み箱を方形箱に押し広げて図３、図４のような状態に組立ててダンボール箱として使用する。
【００３６】
このような使用によって箱本体５内に内容物が満杯になった時には、上側フラップ蓋Ａは内折フラップ片Ａ２，Ａ４を内方に折り曲げ、その外側に重合フラップ片Ａ１，Ａ３を折曲重合させて、この外側重合フラップ片Ａ１，Ａ３の接合部を粘着テープ（図示せず）で貼着することにより閉蓋される。
【００３７】
図６及び図７はこの考案の第２の実施例を示す。
【００３８】
この実施例のダンボール箱は上下両方のフラップ蓋Ａ，Ｂが箱本体５の前面壁１及び後面壁３に折目線ｅ，ｇ，ｉ，ｋを介して連設される上下の掛合フラップ片６１，６２，７１，７２（底蓋用と上蓋用）と、左側面壁２及び右側面壁４に折目線ｆ，ｈ・ｊ，ｌを介して連設される上下の貼着フラップ片８１，８２，９１，９２（底蓋用と上蓋用）との４枚フラップ片で構成されている点が相違するだけである。上蓋用のフラップ蓋Ａについては底蓋用フラップ蓋Ｂについて述べたものと同様であるので説明は省ほぼする。
【００３９】
また、この実施例では、箱本体５を構成する前面壁１・左側面壁２・後面壁３・右側面壁４の中の少なくとも１つの壁面（図示例では左側面壁２）の上部に、切り目線１２で画定された手で押込んで箱本体５内に切り落とすことができる横長形状をなした書類投入用のプッシュ開口蓋１３を設け、このプッシュ開口蓋１３を開蓋して内容物を箱体内へ投入し、それが満杯になった時に封印用シールを貼り、その上から粘着テープで止めて封緘するように構成したものである。
【００４０】
図７は前記のように構成されたダンボール箱を菱形扁平の箱折畳み状態で示した一部切欠正面図であり、この箱折畳み状態では上下フラップ蓋Ａ，Ｂの掛合フラップ片６と貼着フラップ片８が傾斜折目線ｍの位置からＶ形状に折畳まれ、上下フラップ蓋Ａ，Ｂの掛合フラップ片７と貼着フラップ片９が傾斜折目線ｎの位置からＶ形状に折畳まれ、さらに各フラップ片６〜９が折れ目線ｉ，ｊ，ｋ，ｌの位置でＶ形状に折り畳まれて、箱本体５内に折畳み収納される。そして、この箱折畳み状態で箱使用者に供給され、箱使用者は菱形扁平折畳み箱を方形箱に押し広げて、上下端が掛合フラップ蓋Ａ，Ｂで閉塞された方形箱を組立てダンボール箱として使用する。この使用時には書類投入用のプッシュ開口蓋１３を必要に応じて押し開けることは前述した通りである。
【００４１】
なお、この考案は前記実施形態そのままに限定されるものではなく、実施段階ではその要旨を逸脱しない範囲で構成要素を変形して具体化できる。また、前記実施形態に開示されている複数の構成要素の適宜な組合せを行っても良い。
【図面の簡単な説明】
【００４２】
【図１】この考案の第１の実施形態に係るダンボール箱の展開平面図。
【図２】同ダンボール箱を、箱本体の糊付片を右側面壁の糊付部から剥離し、左側面壁と後面壁を直状に伸展させた状態で示した横断平面図。
【図３】同ダンボール箱の組立状態の横断平面図であって、分図（ａ）は前面壁及び左側面壁側の掛合フラップ片及び貼着フラップ片を実線で示し、後面壁及び右側面壁側の掛合フラップ片及び貼着フラップ片を想像線で示した横断平面図、分図（ｂ）は掛合フラップ片の掛合状態を箱本体の内面側から見た横断平面図。
【図４】図３（ｂ）の状態を下側から見た箱組立状態の底面図。
【図５】前記ダンボール箱を菱形扁平の折畳み状態で示した一部切欠正面図。
【図６】この考案の第２の実施形態に係るダンボール箱の展開平面図。
【図７】第２の実施形態に係るダンボール箱を菱形扁平の折畳み状態で示した一部切欠正面図。
【図８】従来のダンボール箱を示した展開平面図。
【図９】従来のダンボール箱を、箱本体の糊付片を右側面壁の糊付部から剥離し、左側面壁と後面壁を直状に伸展させた状態で示した横断平面図。
【図１０】同ダンボール箱の組立状態の横断平面図。
【符号の説明】
【００４３】
１…前面壁、１ａ…糊付片、２…左側面壁、３…後面壁、４…右側面壁、４ａ…糊付部、５…箱本体、Ａ，Ｂ…上下のフラップ蓋、ａ〜ｌ…折目線、ｍ，ｎ…傾斜折目線、６…第１の掛合フラップ片、７…第２の掛合フラップ片、６ａ，７ａ…フラップ片掛止め用の切欠部、６Ａ，７Ａ…レ形状の切欠部、ｒ…直状切り線、ｔ…傾斜切り線、６ｂ，７ｂ…フラップ片一側縁、６ｃ，７ｃ…貼着舌片部、８…第１の貼着フラップ片、９…第２の貼着フラップ片、１２…切り目線、１３…プッシュ開口蓋、１６，１７…せり上がり抑止片。
【図１】
0003107170.tif 000003
【図２】
0003107170.tif 000004
【図３】
0003107170.tif 000005
【図４】
0003107170.tif 000006
【図５】
0003107170.tif 000007
【図６】
0003107170.tif 000008
【図７】
0003107170.tif 000009
【図８】
0003107170.tif 000010
【図９】
0003107170.tif 000011
【図１０】
0003107170.tif 000012